(57)【要約】【課題】  表示されている広告等コンテンツの識別データを取り込むことによって対象広告を容易に特定し，嗜好にあったバリエーションコンテンツを表示させる。【解決手段】  通信網に接続可能なユーザ端末１１２と；通信網に接続され，広告もしくは宣伝用のコンテンツを表示するコンテンツ表示装置１１６と；通信網に接続され，上記コンテンツ表示装置にコンテンツを配信するコンテンツ配信装置１１４とからなる，コンテンツ配信システムであって：上記ユーザ端末を介して放送されているコンテンツを特定し，上記コンテンツ配信装置がそのコンテンツのバリエーションをユーザに選択させ，選択されたコンテンツをコンテンツ表示装置に表示させるコンテンツ配信システムが提供される。かかる構成により，ユーザの嗜好にあったバリエーションコンテンツを視聴できる。【選択図】    図１
2005176206.tif 000002
【特許請求の範囲】
【請求項１】
通信網に接続可能なユーザ端末と；通信網に接続され，広告もしくは宣伝用のコンテンツを表示するコンテンツ表示装置と；通信網に接続され，前記コンテンツ表示装置にコンテンツを配信するコンテンツ配信装置とからなる，コンテンツ配信システムであって：
前記ユーザ端末は，
前記コンテンツ表示装置から，表示されているコンテンツを特定するコンテンツ識別データを読み取る識別データ読み取り手段と；
前記コンテンツ識別データを前記コンテンツ配信装置に送信する識別データ送信手段と；
前記コンテンツ配信装置は，
広告もしくは宣伝対象商品の１または２以上のバリエーション毎に生成されたコンテンツから構成されるコンテンツグループを保存するコンテンツグループデータベースと；
前記ユーザ端末から前記コンテンツ識別データを受信する識別データ受信手段と；
前記受信されたコンテンツ識別データが示すコンテンツを含んだコンテンツグループを，前記コンテンツデータベースから検索するコンテンツ検索手段と；
前記ユーザ端末を介して，前記コンテンツ検索手段によって検索されたコンテンツグループの中から１つのコンテンツをユーザに選択させるコンテンツ選択手段と；
前記コンテンツ選択手段によって選択されたコンテンツを挿入して，コンテンツ放送スケジュールを生成するスケジュール生成手段と；
前記コンテンツ選択手段によって選択されたコンテンツと，前記スケジュール生成手段によって生成されたコンテンツ放送スケジュールとを前記コンテンツ表示装置に送信するコンテンツ送信手段と；
前記コンテンツ表示装置は，
前記コンテンツ配信装置から受信したコンテンツとコンテンツ放送スケジュールとを保存するコンテンツデータベースと；
前記コンテンツ放送スケジュールに従って，前記コンテンツデータベースからコンテンツを抽出し，表示するコンテンツ表示手段と；
を備えることを特徴とする，コンテンツ配信システム。
【請求項２】
前記コンテンツ配信装置もしくはコンテンツ表示装置は，コンテンツ配信装置が配信するもしくはコンテンツ表示装置が表示するコンテンツに，コンテンツ識別データを画像として付与する識別データ付与手段をさらに備えることを特徴とする，請求項１に記載のコンテンツ配信システム。
【請求項３】
前記付与されるコンテンツ識別データは，前記コンテンツ配信装置の通信網上のアドレスを示す配信ＵＲＬと，前記配信されるコンテンツのＩＤであるコンテンツＩＤと，前記コンテンツ表示装置のＩＤであるコンテンツ表示ＩＤとが含まれることを特徴とする，請求項２に記載のコンテンツ配信システム。
【請求項４】
前記コンテンツ配信装置は，
前記コンテンツ識別データを２次元バーコードに変換する２次元バーコード変換手段をさらに備え，
前記識別データ付与手段は，前記変換された２次元バーコードを付与することを特徴とする，請求項２に記載のコンテンツ配信システム。
【請求項５】
前記識別データ受信手段により受信したコンテンツ識別データは，前記ユーザ端末で読み取られたコンテンツのＩＤであるコンテンツＩＤと，読み取り先のコンテンツ表示装置のＩＤであるコンテンツ表示ＩＤとが含まれ，
前記コンテンツ配信装置は，コンテンツ識別データの受信時から所定時間前までの間に，前記コンテンツ表示ＩＤで示されるコンテンツ表示装置で，前記コンテンツＩＤで示されるコンテンツが表示されているかを確認する表示確認手段をさらに備えることを特徴とする，請求項１に記載のコンテンツ配信システム。
【請求項６】
前記コンテンツ配信装置は，前記ユーザを認証するユーザ認証手段をさらに備えること特徴とする，請求項１に記載のコンテンツ配信システム。
【請求項７】
前記コンテンツ配信装置は，前記スケジュール生成手段で生成されたコンテンツ放送スケジュールを，前記ユーザ端末を介してユーザに提供するスケジュール提供手段をさらに備えることを特徴とする，請求項１に記載のコンテンツ配信システム。
【請求項８】
前記バリエーションは，対象物の色，対象物の模様，対象物の形状，これらの組み合わせについての相違であることを特徴とする，請求項１に記載のコンテンツ配信システム。
【請求項９】
ユーザが利用するユーザ端末と，広告もしくは宣伝用のコンテンツを表示するコンテンツ表示装置とに通信網を介して接続され，前記コンテンツ表示装置にコンテンツを配信するコンテンツ配信装置であって：
広告もしくは宣伝対象商品の１または２以上のバリエーション毎に生成されたコンテンツから構成されるコンテンツグループを保存するコンテンツグループデータベースと；
前記ユーザ端末から，前記ユーザ端末が参照したコンテンツを特定するコンテンツ識別データを受信する識別データ受信手段と；
前記受信されたコンテンツ識別データが示すコンテンツを含んだコンテンツグループを，前記コンテンツデータベースから検索するコンテンツ検索手段と；
前記ユーザ端末を介して，前記コンテンツ検索手段によって検索されたコンテンツグループの中から１つのコンテンツをユーザに選択させるコンテンツ選択手段と；
前記コンテンツ選択手段によって選択されたコンテンツを挿入して，コンテンツ放送スケジュールを生成するスケジュール生成手段と；
前記コンテンツ選択手段によって選択されたコンテンツと，前記スケジュール生成手段によって生成されたコンテンツ放送スケジュールとを前記コンテンツ表示装置に送信するコンテンツ送信手段と；
を備えることを特徴とする，コンテンツ配信装置。
【請求項１０】
配信するコンテンツにコンテンツ識別データを画像として付与する識別データ付与手段をさらに備えることを特徴とする，請求項９に記載のコンテンツ配信装置。
【請求項１１】
前記付与されるコンテンツ識別データは，前記コンテンツ配信装置の通信網上のアドレスを示す配信ＵＲＬと，前記配信するコンテンツのＩＤであるコンテンツＩＤと，コンテンツ配信先の前記コンテンツ表示装置のＩＤであるコンテンツ表示ＩＤとが含まれることを特徴とする，請求項１０に記載のコンテンツ配信装置。
【請求項１２】
前記コンテンツ識別データを２次元バーコードに変換する２次元バーコード変換手段をさらに備え，
前記識別データ付与手段は，前記変換された２次元バーコードを付与することを特徴とする，請求項１０に記載のコンテンツ配信装置。
【請求項１３】
前記識別データ受信手段により受信したコンテンツ識別データは，前記ユーザ端末で読み取られたコンテンツのＩＤであるコンテンツＩＤと，ユーザ端末が読み取った先のコンテンツ表示装置のＩＤであるコンテンツ表示ＩＤとが含まれ，
コンテンツ識別データの受信時から所定時間前までの間に，前記コンテンツ表示ＩＤで示されるコンテンツ表示装置で，前記コンテンツＩＤで示されるコンテンツが表示されているかを確認する表示確認手段をさらに備えることを特徴とする，請求項９に記載のコンテンツ配信装置。
【請求項１４】
前記ユーザを認証するユーザ認証手段をさらに備えること特徴とする，請求項９に記載のコンテンツ配信装置。
【請求項１５】
前記スケジュール生成手段で生成されたコンテンツ放送スケジュールを，前記ユーザ端末を介してユーザに提供するスケジュール提供手段をさらに備えることを特徴とする，請求項９に記載のコンテンツ配信装置。
【請求項１６】
前記バリエーションは，対象物の色，対象物の模様，対象物の形状，これらの組み合わせについての相違であることを特徴とする，請求項９に記載のコンテンツ配信装置。
【請求項１７】
コンピュータをして，請求項９から１６のいずれかに記載のコンテンツ配信装置として機能せしめることを特徴とする，コンピュータプログラム。
【請求項１８】
コンテンツを配信するコンテンツ配信装置に通信網を介して接続され，前記コンテンツ配信装置から配信された広告もしくは宣伝用のコンテンツを表示するコンテンツ表示装置であって：
前記コンテンツ配信装置から受信したコンテンツと，そのコンテンツの放送スケジュールであるコンテンツ放送スケジュールとを保存するコンテンツデータベースと；
前記コンテンツ放送スケジュールに従って，前記コンテンツデータベースからコンテンツを抽出し，表示するコンテンツ表示手段と；
前記表示するコンテンツにコンテンツ識別データを画像として付与する識別データ付与手段をさらに備えることを特徴とする，コンテンツ表示装置。
【請求項１９】
前記付与されるコンテンツ識別データは，前記コンテンツ配信装置の通信網上のアドレスを示す配信ＵＲＬと，前記表示するコンテンツのＩＤであるコンテンツＩＤと，前記コンテンツ表示装置のＩＤであるコンテンツ表示ＩＤとが含まれることを特徴とする，請求項１８に記載のコンテンツ表示装置。
【請求項２０】
前記コンテンツ識別データを２次元バーコードに変換する２次元バーコード変換手段をさらに備え，
前記識別データ付与手段は，コンテンツに２次元バーコードを付与することを特徴とする，請求項１８に記載のコンテンツ表示装置。
【請求項２１】
コンピュータをして，請求項１８から２０のいずれかに記載のコンテンツ表示装置として機能せしめることを特徴とする，コンピュータプログラム。
【請求項２２】
通信網に接続可能なユーザ端末と；通信網に接続され，広告もしくは宣伝用のコンテンツを表示するコンテンツ表示装置と；通信網に接続され，前記コンテンツ表示装置にコンテンツを配信するコンテンツ配信装置とを利用してコンテンツの配信を行うコンテンツ配信方法であって：
前記ユーザ端末が，
前記コンテンツ表示装置から，表示されているコンテンツを特定するコンテンツ識別データを読み取る識別データ読み取り工程と；
前記コンテンツ識別データを前記コンテンツ配信装置に送信する識別データ送信工程と；
前記コンテンツ配信装置が，
前記ユーザ端末から受信したコンテンツ識別データが示すコンテンツを含んだコンテンツグループを，コンテンツ配信装置に備わるコンテンツデータベースから検索するコンテンツ検索工程と；
前記ユーザ端末を介して，前記コンテンツ検索工程によって検索されたコンテンツグループの中から１つのコンテンツをユーザに選択させるコンテンツ選択工程と；
前記コンテンツ選択工程によって選択されたコンテンツを挿入してコンテンツ放送スケジュールを生成するスケジュール生成工程と；
前記コンテンツ選択工程によって選択されたコンテンツと，前記スケジュール生成工程によって生成されたコンテンツ放送スケジュールとを前記コンテンツ表示装置に送信するコンテンツ送信工程と；
前記コンテンツ表示装置が，
前記コンテンツ配信装置から受信したコンテンツ放送スケジュールに従って，コンテンツ表示装置に備わるコンテンツデータベースからコンテンツを抽出し，表示するコンテンツ表示工程と；
を含むことを特徴とする，コンテンツ配信方法。
【請求項２３】
前記コンテンツ配信装置もしくはコンテンツ表示装置が，前記コンテンツ配信装置が配信する，もしくはコンテンツ表示装置が表示するコンテンツに，コンテンツ識別データを画像として付与する識別データ付与工程をさらに含むことを特徴とする，請求項２２に記載のコンテンツ配信方法。
【請求項２４】
前記コンテンツ配信装置もしくはコンテンツ表示装置が，
前記コンテンツ識別データを２次元バーコードに変換する２次元バーコード変換工程をさらに備え，
前記識別データ付与工程は，前記変換された２次元バーコードを付与することを特徴とする，請求項２３に記載のコンテンツ配信方法。
【請求項２５】
前記コンテンツ検索工程の前に，
コンテンツ識別データの受信時から所定時間前までの間に，前記コンテンツ識別データで示されたコンテンツが放送されているかを確認する表示確認工程をさらに含み，
前記表示確認工程により，前記コンテンツの放送が確認された場合に，前記コンテンツ検索工程が行われることを特徴とする，請求項２２に記載のコンテンツ配信方法。
【請求項２６】
前記コンテンツ検索工程の前に，
前記ユーザを認証するユーザ認証工程をさらに含み，
前記ユーザ認証工程により認証された場合に，前記コンテンツ検索工程が行われることを特徴とする，請求項２２に記載のコンテンツ配信方法。
【請求項２７】
前記スケジュール生成工程の後に，
前記スケジュール生成工程で生成されたコンテンツ放送スケジュールを，前記ユーザ端末を介してユーザに提供するスケジュール提供工程をさらに含むことを特徴とする，請求項２２に記載のコンテンツ配信方法。
【発明の詳細な説明】
【技術分野】
【０００１】
本発明は，コンテンツ配信システム，コンテンツ配信装置，コンテンツ表示装置，コンテンツ配信方法，およびそのコンピュータプログラムに関する。
【背景技術】
【０００２】
従来から，公衆への広告もしくは宣伝目的で，街頭や店舗内に紙等の部材による静止画ポスターが掲示されていた。このようなポスターでは変更の手間やコスト面において問題があった。
【０００３】
上記静止画ポスターの代替え手段として，液晶ディスプレイ等により，静止画の変更および動画の放送を可能とする電子ポスターが実施されている。
【０００４】
このような電子ポスターでは，広告や宣伝のコンテンツを広告対象者である公衆に一方的に提供する方式が採られている。しかし，公衆が個人的に視聴したい広告や宣伝を当該電子ポスターに掲示して欲しいという要求も存在する。この要求に対する解決手段として，ユーザが利用している携帯電話等のユーザ端末を利用し，所望の商品コンテンツを選択し，それを近くの電子ポスターに表示させる技術が知られている（例えば，特許文献１）。
【０００５】
しかし，上記の技術を利用するために，表示させる電子ポスターのＩＤ（Ｉｄｅｎｔｉｆｉｃａｔｉｏｎ）やコンテンツ要求先のＵＲＬ（Ｕｎｉｆｏｒｍ  Ｒｅｓｏｕｒｃｅ  Ｌｏｃａｔｏｒ）を手入力したり，電子ポスターからの接続ケーブルを接続したりと手間がかかっていた。
【０００６】
また，上記の技術では，視聴可能な広告が準備された選択肢のみに限定される。ここで選択肢を広げると選択データが多くなりすぎて，所望の広告の検索が困難になる等の問題もあった。さらに，所望する広告の対象商品名が分からないときなどは，選択リストから希望広告を選択することができなかった。
【０００７】
【特許文献１】特開２００２−３７２９３９号公報
【発明の開示】
【発明が解決しようとする課題】
【０００８】
元来，ユーザにとっては，所望の広告や宣伝を電子ポスターに掲示したいという要求よりも，偶然通りかかった電子ポスターに掲示された広告をもう一度最初から視聴したい，もしくはその広告の対象商品の色を変更した広告を視聴したいという要求の方が高いと考えられる。
【０００９】
本発明は，従来の電子ポスターを含んだコンテンツ配信システムが有する上記問題点に鑑みてなされたものであり，本発明の目的は，表示されている広告等のコンテンツの識別データを取り込むことによって対象広告を容易に特定し，そのコンテンツのバリエーションを選択し，嗜好にあったコンテンツを表示させることが可能な，新規かつ改良されたコンテンツ配信システム，コンテンツ配信装置，コンテンツ表示装置，コンテンツ配信方法，およびそのコンピュータプログラムを提供することである。
【課題を解決するための手段】
【００１０】
上記課題を解決するために，本発明のある観点によれば，通信網に接続可能なユーザ端末と；通信網に接続され，広告もしくは宣伝用のコンテンツを表示するコンテンツ表示装置と；通信網に接続され，上記コンテンツ表示装置にコンテンツを配信するコンテンツ配信装置とからなる，コンテンツ配信システムであって：上記ユーザ端末は，上記コンテンツ表示装置から，表示されているコンテンツを特定するコンテンツ識別データを読み取る識別データ読み取り手段と；上記コンテンツ識別データを上記コンテンツ配信装置に送信する識別データ送信手段と；上記コンテンツ配信装置は，広告もしくは宣伝対象商品の１または２以上のバリエーション毎に生成されたコンテンツから構成されるコンテンツグループを保存するコンテンツグループデータベースと；上記ユーザ端末から上記コンテンツ識別データを受信する識別データ受信手段と；上記受信されたコンテンツ識別データが示すコンテンツを含んだコンテンツグループを，上記コンテンツデータベースから検索するコンテンツ検索手段と；上記ユーザ端末を介して，上記コンテンツ検索手段によって検索されたコンテンツグループの中から１つのコンテンツをユーザに選択させるコンテンツ選択手段と；上記コンテンツ選択手段によって選択されたコンテンツを挿入してコンテンツ放送スケジュールを生成するスケジュール生成手段と；上記コンテンツ選択手段によって選択されたコンテンツと，上記スケジュール生成手段によって生成されたコンテンツ放送スケジュールとを上記コンテンツ表示装置に送信するコンテンツ送信手段と；上記コンテンツ表示装置は，上記コンテンツ配信装置から受信したコンテンツとコンテンツ放送スケジュールとを保存するコンテンツデータベースと；上記コンテンツ放送スケジュールに従って，上記コンテンツデータベースからコンテンツを抽出し，表示するコンテンツ表示手段と；を備えることを特徴とする，コンテンツ配信システムが提供される。
【００１１】
ここでユーザ端末，コンテンツ配信装置，コンテンツ表示装置は，サーバコンピュータ，パーソナルコンピュータ，ＰＤＡ（Ｐｅｒｓｏｎａｌ  Ｄｉｇｉｔａｌ  Ａｓｓｉｓｔａｎｔ），携帯電話を含む。特にコンテンツ表示装置は，街頭や店舗内に配置された液晶ディスプレイ等を利用して公衆への広告もしくは宣伝を行う電子ポスターであることが望ましい。
【００１２】
かかる構成により，ユーザは，ユーザ端末に，コンテンツ表示装置に表示されている広告等のコンテンツ識別データを直接取り込むことが可能となり，そのコンテンツを特定するためにメニュー画面を参照するなど煩わしい作業を回避できる。
【００１３】
また，そのコンテンツのバリエーションを選択することが可能になる。即ち，表示されているコンテンツが白の自動車の宣伝であった場合，ユーザの好みの色，例えば赤の同車種のコンテンツをコンテンツ表示装置に表示させることができる。このようにしてユーザは，嗜好にあったコンテンツを視聴できる。
【００１４】
かかるバリエーションの選択は，従来のコンテンツ自体の選択と違い，対象物の色，対象物の模様，対象物の形状，これらの組み合わせといった簡単な選択である。また，同一のコンテンツを再度表示させたい場合，かかる選択を省略して表示させることもできる。この選択肢が，メーカーの生産している車色と同一である場合，かかる選択時にメーカーの生産色も確認できる。
【００１５】
また，上記スケジュール生成手段のコンテンツの挿入は，他のコンテンツの放送を，挿入するコンテンツの放送時間分シフトするとしても良く，他のコンテンツの一部を削除してその代わりに挿入するとしても良い。ユーザの待ち時間を考慮して，ユーザが希望するコンテンツを出来るだけ早い時間に放送するとしても良い。
【００１６】
また，上記コンテンツグループデータベース内のコンテンツは，予め準備されたバリエーションのコンテンツでも良いし，ユーザからの要求に応じてコンテンツ配信装置のＣＧ（Ｃｏｍｐｕｔｅｒ  Ｇｒａｐｈｉｃｓ）処理によって生成されるコンテンツでも良い。
【００１７】
上記コンテンツ配信装置もしくはコンテンツ表示装置は，コンテンツ配信装置が配信する，もしくはコンテンツ表示装置が表示するコンテンツに，コンテンツ識別データを画像として付与する識別データ付与手段をさらに備えるとしても良い。
【００１８】
ここでは，コンテンツ識別データを画像としてコンテンツに取り込むので，画像以外の特別なデータ構造を必要としない。また，コンテンツのみを表示する通常の処理で，コンテンツ識別データも表示できる。
【００１９】
また，コンテンツ表示装置にコンテンツ識別データを正確に表示することが困難な場合，例えば，コンテンツ表示装置の画面が小さくてユーザ端末で正確に読み取れない場合を想定して，コンテンツ表示装置の近くにコンテンツ識別データを表示する識別データ表示装置を別途設けるとしても良い。
【００２０】
上記付与されるコンテンツ識別データは，上記コンテンツ配信装置の通信網上のアドレスを示す配信ＵＲＬ（Ｕｎｉｆｏｒｍ  Ｒｅｓｏｕｒｃｅ  Ｌｏｃａｔｏｒ）と，上記配信するコンテンツのＩＤ（Ｉｄｅｎｔｉｆｉｃａｔｉｏｎ）であるコンテンツＩＤと，上記コンテンツ表示装置のＩＤであるコンテンツ表示ＩＤとが含まれて構成されても良い。
【００２１】
ユーザ端末に取り込まれた上記コンテンツ識別データによって，ユーザが対象としているコンテンツとコンテンツ表示装置を特定することができ，併せてコンテンツを表示するための問い合わせ先を特定することができる。ここで，ユーザ端末は，上記配信ＵＲＬにより自動的にコンテンツ配信装置にアクセスされるとしても良い。
【００２２】
上記コンテンツ配信装置は，上記コンテンツ識別データを２次元バーコードに変換する２次元バーコード変換手段をさらに備え，上記識別データ付与手段は，上記変換された２次元バーコードを付与するとしても良い。
【００２３】
ユーザ端末，例えば携帯電話等は，カメラを内蔵した型が多く，さらに２次元バーコードの解読機能を有するものも増えている。かかる構成により，ユーザ端末内蔵のカメラで直接２次元バーコードを写し，自動的に解析させることが可能となり，目視した文字または数字を手入力する必要がなくなる。このような２次元バーコードを利用する場合，読み取りが容易になるだけではなく，ユーザの誤入力を防止することが可能となり，通信エラーなどを回避できる。
【００２４】
上記コンテンツ配信装置が上記ユーザ端末から受信したコンテンツ識別データは，上記ユーザ端末で読み取られたコンテンツのＩＤであるコンテンツＩＤと，ユーザ端末が読み取った先のコンテンツ表示装置のＩＤであるコンテンツ表示ＩＤとが含まれ，上記コンテンツ配信装置は，コンテンツ識別データの受信時から所定時間前までの間に，上記コンテンツ表示ＩＤで示されるコンテンツ表示装置で，上記コンテンツＩＤで示されるコンテンツが表示されているかを確認する表示確認手段をさらに備えるとしても良い。
【００２５】
ここでは，ユーザ端末からコンテンツ配信装置に送信されたコンテンツ識別データの示しているコンテンツが，所定の時間内に放送されたものであるかどうかを調査する。かかる構成により，上記コンテンツ表示ＩＤで示されるコンテンツ表示装置の近くに，当該コンテンツ配信システムを利用するユーザがいることを推測し，過去にコンテンツ表示装置を利用したことのあるユーザが悪戯や故意にコンテンツを表示させる行為を防止する。この所定の時間は３分〜７分とすることができる。
【００２６】
また，上記コンテンツ識別データは，コンテンツＩＤの代わりに，コンテンツグループのＩＤであるコンテンツグループＩＤを含むとしても良い。かかる構成により，コンテンツ配信装置によるコンテンツ検索手段でコンテンツグループを直接検索することが可能となり，検索処理が簡略化される。
【００２７】
また，コンテンツ識別データは，コンテンツＩＤの代わりにコンテンツ表示装置に表示された標準時を含むとしても良い。これは，コンテンツ表示装置とコンテンツ放送時間を特定できれば，コンテンツ放送スケジュールを参照することによって放送されたコンテンツやそれを含むコンテンツグループを特定できるからである。かかる構成により，コンテンツ毎にコンテンツＩＤを付す処理を省略できる。
【００２８】
上記コンテンツ配信装置は，上記ユーザを認証するユーザ認証手段をさらに備えるとしても良く，ユーザ認証手段により認証された場合に，他のコンテンツ検索手段等を利用することができるとしても良い。
【００２９】
かかるコンテンツ配信システムを利用できるユーザが限定されている場合，ユーザの認証行為を経てコンテンツ検索手段に移行する構成をとることができる。また，一般公衆に対して当該コンテンツのバリエーション選択を容認している場合，かかるユーザ認証手段を経由せずにコンテンツ検索手段を利用できる。ここで，ユーザの認証は，コンテンツ配信装置に保存されたユーザＩＤとパスワードによって行われる。
【００３０】
上記コンテンツ配信装置は，上記スケジュール生成手段で生成されたコンテンツ放送スケジュールを，上記ユーザ端末を介してユーザに提供するスケジュール提供手段をさらに備えるとしても良い。
【００３１】
ユーザからコンテンツの再放送もしくはバリエーションコンテンツ放送の要求があっても，コンテンツ放送スケジュールの再編成等にかかる処理時間によって直ぐに対応することができない。ユーザは，上記スケジュール提供手段によって何分後に所望のコンテンツが放送されるかを知ることができ，かかるコンテンツ表示装置を注視する必要が無くなる。
【００３２】
上記課題を解決するために，本発明の別の観点によれば，当該コンテンツ配信システムに利用されるコンテンツ配信装置やコンテンツ表示装置が提供される。また，コンピュータによって，上記コンテンツ配信装置やコンテンツ表示装置として機能するプログラムも提供され，ユーザ端末とコンテンツ配信装置とコンテンツ表示装置とを利用してコンテンツの配信を行うコンテンツ配信方法も提供される。
【００３３】
かかるコンテンツ配信装置とコンテンツ表示装置は，１つの装置で構成することもでき，コンテンツ表示装置がかかるコンテンツ配信装置の機能を独立して行うとしても良い。また，コンテンツ配信装置のコンテンツグループデータベースやコンテンツ表示装置のコンテンツデータベースは，データ容量の関係に応じて独立した装置で構成することもできる。
【００３４】
さらに，上記コンテンツ配信装置は，ユーザ端末との通信を主に取り扱うＷＥＢサーバと，このＷＥＢサーバの指示に従い，コンテンツ表示装置へコンテンツを配信するコンテンツ配信サーバに機能を分散するとしても良い。
【発明の効果】
【００３５】
以上説明したように本発明によれば，ユーザは，コンテンツ表示装置に表示されている広告等のコンテンツの識別データを直接取り込むことが可能となり，そのコンテンツ自体をメニュー画面から選択する必要がなくなる。また，そのコンテンツのバリエーションを嗜好に合わせて選択することが可能になる。即ち，表示されているコンテンツが白の自動車の宣伝であった場合，ユーザの好みの色，例えば赤の同車種のコンテンツをコンテンツ表示装置に表示させることができる。このようにしてユーザは，所望のコンテンツを視聴できる。
【発明を実施するための最良の形態】
【００３６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３７】
（第１の実施の形態：コンテンツ配信システム）
図１は，本実施形態におけるコンテンツ配信システムの概略を示したブロック図である。かかるコンテンツ配信システムは，通信網１１０と，ユーザ端末１１２と，コンテンツ配信装置１１４と，コンテンツ表示装置１１６とから構成される。
【００３８】
上記通信網１１０は，例えば公衆回線網であるインターネットのネットワーク網を含み，電話回線等により上記装置や各端末が接続される。
【００３９】
上記ユーザ端末１１２は，コンテンツ表示装置１１６からコンテンツ識別データを取得し，そのコンテンツ識別データを基にコンテンツ配信装置１１４と通信を行い，バリエーションコンテンツの選択処理を行う。
【００４０】
上記コンテンツ配信装置１１４は，ユーザ端末１１２から受信したコンテンツ識別データによりコンテンツグループを検索し，そのコンテンツグループの中からユーザが視聴希望するコンテンツを選択させ，選ばれたコンテンツをコンテンツ表示装置１１６に配信する。
【００４１】
上記コンテンツ表示装置１１６は，コンテンツ配信装置１１４から配信されたコンテンツを表示する。ここでは，コンテンツ表示装置１１６として液晶ディスプレイ等を利用した電子ポスターを挙げている。
【００４２】
このような構成により，ユーザは，ユーザ端末１１２を介して，コンテンツ表示装置１１６で放送されているコンテンツを取得し，コンテンツ配信装置１１４に対して，このコンテンツの再放送，または，そのコンテンツが対象としている商品のバリエーションに関するコンテンツの放送を要求する。この一連の処理により，ユーザが希望するコンテンツをユーザの近くにあるコンテンツ表示装置１１６で放送することができる。
【００４３】
また，コンテンツ表示装置１１６を，通信網１１０に接続せず，直接コンテンツ配信装置１１４に専用回線を用いて接続し，閉鎖的なネットワークを構成することもできる。このような構成により不正なアクセスを防止する。
【００４４】
（第２の実施の形態：ユーザ端末１１２）
図２は，ユーザ端末１１２の構成を示すブロック図である。上記ユーザ端末１１２は，ユーザ端末制御部１３０と，識別データ読み取り手段１３２と，識別データ送信手段１３４とから構成される。
【００４５】
上記ユーザ端末制御部１３０は，中央処理装置（ＣＰＵ）を含む制御装置によりユーザ端末１１２を管理および制御する。
【００４６】
上記識別データ読み取り手段１３２は，コンテンツ表示装置１１６から，表示されているコンテンツを特定するコンテンツ識別データを読み取る。例えば，ユーザ端末１１２にデジタルカメラ，無線通信装置，赤外線読み取り装置等の読み取り手段が設けられている場合，これらの手段を利用し，電子データとしてコンテンツ識別データを取り込む。
【００４７】
上記識別データ送信手段１３４は，読み取ったコンテンツ識別データをコンテンツ配信装置１１４に送信する。ここで送信されるコンテンツ識別データは，読み取ったコンテンツ識別データからコンテンツ配信装置１１４の位置情報（通信網上のアドレス情報）を除いた，視聴したいコンテンツとユーザの位置を特定するデータである。
【００４８】
このようなユーザ端末１１２は，通信網１１０に接続することができ，さらに，携帯性を有している。
【００４９】
（第３の実施の形態：コンテンツ配信装置１１４）
図３は，コンテンツ配信装置１１４の構成を示すブロック図である。上記コンテンツ配信装置１１４は，コンテンツ配信制御部１５０と，コンテンツグループデータベース１５２と，識別データ受信手段１５４と，表示確認手段１５６と，ユーザ認証手段１５８と，コンテンツ検索手段１６０と，コンテンツ選択手段１６２と，２次元バーコード変換手段１６４と，識別データ付与手段１６６と，スケジュール生成手段１６８と，スケジュール提供手段１７０と，コンテンツ送信手段１７２とから構成される。
【００５０】
上記コンテンツ配信制御部１５０は，中央処理装置（ＣＰＵ）を含む制御装置によりコンテンツ配信装置１１４を管理および制御する。
【００５１】
上記コンテンツグループデータベース１５２は，広告もしくは宣伝対象商品の１または２以上のバリエーション毎に生成されたコンテンツから構成されるコンテンツグループを保存する。例えば，コンテンツが対象としている商品が自動車であった場合，上記のコンテンツグループには同車種の色違い商品によるコンテンツが，その選択色数だけ準備される。
【００５２】
かかるコンテンツグループは，コンテンツ配信装置１１４内でも保存されるが，コンテンツを提供する外部のデータベースにもリンクされている。例えば，コンテンツの対象が商品であった場合，その商品の製造元であるメーカーのデータベースにリンクされ，商品の多彩なバリエーションコンテンツを参照できる。このような商品に関しては上記メーカーが正確かつ詳細なデータを有し，また，このような全ての商品をコンテンツ配信装置１１４で登録，更新するのは難しいからである。また，当該コンテンツは，広告もしくは宣伝に関するコンテンツなので，広告代理店のサーバや広告作成者のコンピュータにも接続される。
【００５３】
上記識別データ受信手段１５４は，ユーザ端末１１２から送信されたコンテンツ識別データを受信する。
【００５４】
上記表示確認手段１５６は，コンテンツ識別データの受信時から所定時間前，例えば５分間前に，上記コンテンツ表示ＩＤで示されるコンテンツ表示装置で，上記コンテンツＩＤで示されるコンテンツが表示されているかを確認する。これは，上記コンテンツ表示ＩＤで示されるコンテンツ表示装置の近くに，当該コンテンツ配信システムを利用するユーザがいることを確認するためであり，過去にコンテンツ表示装置を利用したことのあるユーザが悪戯や故意にコンテンツを表示させる行為を防止する。
【００５５】
上記ユーザ認証手段１５８は，当該コンテンツ配信システムを利用するユーザが，登録された正規のユーザであるかどうかを認証する。この認証は，コンテンツ配信装置１１４に保存されたユーザＩＤとパスワードによって行われる。
【００５６】
上記コンテンツ検索手段１６０は，ユーザ端末１１２から受信されたコンテンツ識別データが示すコンテンツを含んだコンテンツグループを，コンテンツデータベース１５２から検索する。ここでは，コンテンツデータベース１５２に含まれている全コンテンツを検索し，所望のコンテンツがあった場合は，そのコンテンツが属するコンテンツグループを検索結果として出力する。
【００５７】
上記コンテンツ選択手段１６２は，ユーザ端末１１２を介して，コンテンツ検索手段１６０によって検索されたコンテンツグループの中から１つのコンテンツをユーザに選択させる。ここでは，検索結果のコンテンツグループ内にある全てのバリエーションコンテンツを，ユーザ端末１１２に表示し，ユーザは，そのリストの中から所望のコンテンツを選択する。
【００５８】
上記２次元バーコード変換手段１６４は，コンテンツ識別データを１または２以上の２次元バーコードに変換する。
【００５９】
図４は，当該２次元バーコードの例を示した説明図である。本実施形態では，配信ＵＲＬ，コンテンツＩＤ，コンテンツ表示ＩＤの全てを含んで１つの２次元バーコード１８０に変更する。この２次元バーコードは従来のバーコードを縦と横の２次元で表したもので，含まれる情報量が１次元のバーコードより多い。
【００６０】
上記識別データ付与手段１６６は，コンテンツ配信装置１１４が配信するコンテンツにコンテンツ識別データを画像として付与する。例えば，コンテンツ識別データである配信ＵＲＬ，コンテンツＩＤ，コンテンツ表示ＩＤを英数字のままコンテンツ画像に重ねることもできるし，上記２次元バーコード変換手段１６４によって変換された２次元バーコード１８０をコンテンツ画像に重ねることもできる。
【００６１】
上記スケジュール生成手段１６８は，コンテンツ選択手段１６２によって選択されたコンテンツを挿入して，コンテンツ放送スケジュールを生成する。スケジュール生成手段１６８は，通常，スポンサー等の設定に応じて放送するコンテンツのスケジューリングを行う。また，本実施形態のように，ユーザの希望によるコンテンツの放送が割り込んできた場合，それに応じてスケジュールを組み直す。また，ユーザが要求するコンテンツが重複した場合などは，間隔を空けて当該コンテンツを放送する等の対応をとる。スケジュールの組み方，即ちコンテンツの配分については様々な方法がとられるが，本実施形態の本質ではないのでここでは省略する。
【００６２】
上記スケジュール提供手段１７０は，スケジュール生成手段１６８で生成されたコンテンツ放送スケジュールを，ユーザ端末１１２を介してユーザに提供する。ユーザ端末１１２には，かかるコンテンツ放送スケジュールのうち所望するコンテンツの放送時間のみ表示される。
【００６３】
上記コンテンツ送信手段１７２は，コンテンツ選択手段１６２によって選択されたコンテンツと，スケジュール生成手段１６８によって生成されたコンテンツ放送スケジュールとをコンテンツ表示装置１１６に送信する。
【００６４】
また，コンピュータをしてコンテンツ配信装置１１４として機能させるコンピュータプログラムも提供される。
【００６５】
（第４の実施の形態：コンテンツ表示装置１１６）
図５は，コンテンツ表示装置１１６の構成を示すブロック図である。上記コンテンツ表示装置１１６は，コンテンツ表示制御部１９０と，コンテンツデータベース１９２と，コンテンツ表示手段１９４とから構成される。コンテンツ表示装置１１６は，電子ポスターとしての液晶ディスプレイ等が挙げられるが，ディスプレイとしての機能を果たせばこれに限定されるものではない。例えば，プロジェクターやＥＬディスプレイなどあらゆる表示装置を応用することができる。
【００６６】
上記コンテンツ表示制御部１９０は，中央処理装置（ＣＰＵ）を含む制御装置によりコンテンツ表示装置１１６を管理および制御する。
【００６７】
上記コンテンツデータベース１９２は，コンテンツ配信装置１１４から受信したコンテンツやコンテンツ放送スケジュールを保存する。近日は，記憶媒体の大容量化に伴い，コンテンツ表示装置１１６自体が大量のコンテンツを保持できるようになった。従って，一旦コンテンツ配信装置１１４からコンテンツが配信されると，コンテンツ放送スケジュールの変更が無い限り，コンテンツ配信装置１１４とデータのやり取りを行う必要が無くなる。
【００６８】
上記コンテンツ表示手段１９４は，コンテンツ配信装置１１４から受信したコンテンツ放送スケジュールに従って，コンテンツデータベース１９２からコンテンツを抽出し，画面上に表示する。
【００６９】
また，コンピュータをしてコンテンツ表示装置１１６として機能させるコンピュータプログラムも提供される。
【００７０】
（第５の実施の形態：コンテンツ配信システム）
図６は，コンテンツ配信システムにおけるコンテンツの特定に関する説明図である。
【００７１】
コンテンツ表示装置１１６のコンテンツデータベース１９２では，コンテンツ表示装置１１６で表示する複数のコンテンツが保存されている。この複数のコンテンツをコンテンツ放送スケジュールに従って順次放送する。ここで，コンテンツ表示装置１１６においてコンテンツ２１０が放送されているとする。ユーザは，かかるコンテンツ２１０のバリエーションコンテンツを視聴したいと考え，ユーザ端末１１２を介して，コンテンツ２１０のコンテンツ識別データ２１２を読み取る（Ｓ２１４）。
【００７２】
このコンテンツ識別データ２１２には，コンテンツ配信装置１１４を示す配信ＵＲＬ２１６と，コンテンツ２１０のＩＤであるコンテンツＩＤ２１８と，コンテンツ表示装置１１６のＩＤであるコンテンツ表示ＩＤ２２０が含まれている。これらは，２次元バーコードによって表されても良い。
【００７３】
次に，ユーザは，ユーザ端末１１２を配信ＵＲＬ２１６で示されたコンテンツ配信装置１１４に接続する。そして，読み込んだコンテンツ２１０とユーザの位置を特定するため，コンテンツ識別データ２３０を送信する（Ｓ２３２）。ここでのコンテンツ識別データ２３０は，コンテンツＩＤ２１８とコンテンツ表示ＩＤ２２０が含まれる。
【００７４】
コンテンツ配信装置１１４は，かかるコンテンツ識別データ２３０を受信して，コンテンツグループデータベース１５２からコンテンツＩＤ２１８が示すコンテンツ２１０を含むコンテンツグループ２３４を検索する。続いて，ユーザ端末１１２を介して，コンテンツグループ２３４の中からユーザが所望するコンテンツを選択させる。ここでユーザは，コンテンツ２３６を選択したとする。
【００７５】
次に，上記選択されたコンテンツ２３６のコンテンツＩＤ２３８をコンテンツ放送スケジュール２４０に挿入する。コンテンツＩＤ２３８が挿入される位置は，進行しているコンテンツ放送の現在以降の位置であり，かつ，ユーザの待ち時間を少なくするため，出来るだけ現在に近い位置であることが望ましい。ここでは，ユーザ端末１１２からのアクセス５分前以内にコンテンツＩＤ２１８が含まれている。
【００７６】
続いて，コンテンツ配信装置１１４は，このように変更されたコンテンツ放送スケジュール２４０とコンテンツ２３６を，コンテンツ識別データ２３０のコンテンツ表示ＩＤ２２０で示されたコンテンツ表示装置１１６に送信する（Ｓ２５０）。このコンテンツ２３６に含まれるコンテンツ識別データ２５２は，配信ＵＲＬ２１６と，バリエーションコンテンツのＩＤであるコンテンツＩＤ２３８と，コンテンツ表示ＩＤ２２０とから構成される。
【００７７】
このようにしてユーザは，ユーザ近辺にあるコンテンツ表示装置１１６で，かかるコンテンツ２３６を視聴することができる。
【００７８】
（第６の実施の形態：コンテンツ配信方法）
図７は，通常のコンテンツの配信を表したフローチャート図である。
【００７９】
先ず，コンテンツ配信装置１１４は，当該コンテンツ配信装置１１４の配信ＵＲＬと，放送するコンテンツのコンテンツＩＤと，そのコンテンツを放送するコンテンツ表示装置のコンテンツ表示ＩＤを設定し，コンテンツ識別データを生成する（Ｓ３００）。そしてコンテンツ識別データを２次元バーコードに変換し（Ｓ３０２），変換された２次元バーコードをコンテンツの画像に付与する（Ｓ３０４）。続いて，２次元バーコードを付された複数のコンテンツを放送順に並べ，コンテンツ放送スケジュールを生成する（Ｓ３０６）。
【００８０】
次に，コンテンツ配信装置１１４は，上記スケジューリングされたコンテンツ放送スケジュールと，放送予定の全コンテンツをコンテンツ表示装置１１６に送信する（Ｓ３０８）。ここで，コンテンツ表示装置１１６のコンテンツデータベース１９２の容量が少ない場合，上記コンテンツをいくつかのグループに分けて随時送信するとしても良い。
【００８１】
続いて，コンテンツ表示装置１１６は，コンテンツ配信装置１１４から受信したコンテンツ放送スケジュールに従って，コンテンツデータベースに保持されているコンテンツを表示する（Ｓ３１０）。
【００８２】
図８は，本実施形態によるバリエーションのコンテンツの配信を表したフローチャート図である。
【００８３】
ユーザが放送されているコンテンツを再度視聴したいと考えた場合，識別データ読み取り工程Ｓ３５０により，ユーザ端末１１２を利用して，コンテンツ表示装置１１６の表示画面からコンテンツ識別データである２次元バーコードを読み取り（Ｓ３５２），その２次元バーコードを解読して配信ＵＲＬ，コンテンツＩＤ，コンテンツ表示ＩＤを得る（Ｓ３５４）。
【００８４】
図９は，ユーザがユーザ端末１１２を利用して，コンテンツ識別データを読み取るところを表した説明図である。かかる場合には，ユーザ端末１１２をコンテンツ表示装置１１６に近づけ，ユーザ端末１１２に設けられたデジタルカメラによってコンテンツ識別データ３９０の画像を取り込んでいる。
【００８５】
上記コンテンツ識別データ３９０を取り込むと，ユーザ端末１１２は，解読された配信ＵＲＬの示す装置，即ちコンテンツ配信装置１１４にコンテンツＩＤとコンテンツ表示ＩＤを自動的に送信する（Ｓ３５６）。
【００８６】
次に，コンテンツ配信装置１１４は，受信したコンテンツＩＤとコンテンツ表示ＩＤを参照し，かかるコンテンツＩＤが示すコンテンツはコンテンツ表示ＩＤが示すコンテンツ表示装置において，所定の時間内に放送されているかどうか確認する（Ｓ３５８）。この表示確認工程Ｓ３５８で所定時間内の放送が確認されたら，次の工程に移行することができ，確認されなかった場合，ユーザは，既にコンテンツ表示ＩＤが示すコンテンツ表示装置の近くにいないものと判断され，当該コンテンツの配信は中止される。
【００８７】
続いて，ユーザ認証工程Ｓ３６０によって，コンテンツ配信装置１１４にアクセスしてきたユーザが，登録された正規のユーザであることを認証する。先ず，ユーザ端末１１２に対して，ユーザＩＤとパスワードの入力を要求し（Ｓ３６２），それに応じて入力されたユーザＩＤとパスワードがコンテンツ配信装置１１４に送信される（Ｓ３６４）。コンテンツ配信装置１１４は，受信したユーザＩＤとパスワードが，登録されているユーザＩＤやパスワードと一致するかを確認し（Ｓ３６６），一致していれば，次の工程に移行することができる。
【００８８】
コンテンツ配信装置１１４では，識別データ送信工程Ｓ３５６で送信されたコンテンツＩＤからかかるコンテンツが含まれたコンテンツグループを検索し（Ｓ３６８），コンテンツ選択工程Ｓ３７０によって，検索されたコンテンツグループ内のコンテンツをユーザに選択させる。先ず，コンテンツ配信装置１１４は，ユーザ端末１１２にコンテンツグループに含まれる全てのコンテンツをリスト形式で表示させ（Ｓ３７２），ユーザは，かかるリストの中から所望するコンテンツを選択する（Ｓ３７４）。
【００８９】
図１０は，このようなユーザ端末１１２を利用したコンテンツ選択工程Ｓ３７０を説明した説明図である。ここでは，ユーザ端末１１２として携帯電話を，所望のコンテンツとしてスポーツカーを挙げている。ユーザ端末１１２の表示部４１０には，かかるコンテンツの対象物であるスポーツカーの選択可能な色が示されている。
【００９０】
このコンテンツの標準的な広告では，白のスポーツカーが利用され，初期値は白４２０になっている。このまま選択を行わずに送信した場合，初期値である白のスポーツカーがコンテンツとして放送される。色を変更する場合，十字キー４２２によるカーソルの移動，または，ボタン群４２４による数字指定で，リスト上の赤４２６を選択し，コンテンツ配信装置１１４に送信する。
【００９１】
続いて，選択されたコンテンツのコンテンツＩＤと，当該コンテンツ配信装置１１４の配信ＵＲＬと，配信先のコンテンツ表示装置１１６のコンテンツ表示ＩＤとを合わせて，２次元バーコードに変換する（Ｓ３０２）。変換された２次元バーコードは，前述したように識別データ付与工程Ｓ３０４によってコンテンツ画面に取り込まれる。
【００９２】
上記コンテンツの選択により，コンテンツ放送スケジュールは編集され，新たなコンテンツ放送スケジュールが生成される（Ｓ３０６）。この生成されたコンテンツ放送スケジュールはユーザ端末１１２を介してユーザにも提供される（Ｓ３８０）。
【００９３】
また，スケジュール提供工程Ｓ３８０と並行してコンテンツ配信装置１１４は，コンテンツ表示装置に，新たなコンテンツ放送スケジュールと，当該コンテンツを送信し（Ｓ３０８），コンテンツ表示装置１１６は，受信したコンテンツを放送する（Ｓ３１０）。
【００９４】
図１１は，コンテンツ提供工程Ｓ３８０によりユーザがコンテンツの放送を確認する様子を示した説明図である。かかる場合には，コンテンツ配信装置１１４からユーザが希望するコンテンツの放送時間が提供され，ユーザ端末１１２の表示部４１０に表示される。そこで表示された時間になると，コンテンツ表示装置１１６には，対象商品の色が「赤」となっている同種のコンテンツが放送される。
【００９５】
（第７の実施の形態：コンテンツ表示装置１１６）
上記の実施形態では，コンテンツ識別データを２次元バーコードに変換し，コンテンツ画面に付与する処理をコンテンツ配信装置１１４で行っていた。しかし，かかるコンテンツ識別データのうち，配信ＵＲＬは固定のデータであり，コンテンツ表示ＩＤは，コンテンツ表示装置を示すＩＤであることから，２次元バーコードの生成はコンテンツ表示装置１１６においても可能である。
【００９６】
図１２は，コンテンツ表示装置１１６の構成を示すブロック図である。上記コンテンツ表示装置１１６は，コンテンツ表示制御部１９０と，コンテンツデータベース１９２と，コンテンツ表示手段１９４と，２次元バーコード変換手段５１０とから構成される。ここで，第４の実施形態における構成要素として既に述べたコンテンツ表示制御部１９０，コンテンツデータベース１９２，コンテンツ表示手段１９４は実質的に機能が同一なので重複説明を省略し，ここでは，２次元バーコード変換手段５１０のみ説明する。
【００９７】
上記２次元バーコード変換手段５１０は，コンテンツ識別データを１または２以上の２次元バーコードに変換する。基となるコンテンツ識別データは，配信ＵＲＬ，コンテンツＩＤ，コンテンツ表示ＩＤであり，放送するコンテンツに依存するデータは，コンテンツＩＤだけである。従って，コンテンツ配信装置１１４から受信する必要があるのは，コンテンツＩＤだけであり，コンテンツ配信装置１１４の処理負担を軽減できる。
【００９８】
また，コンテンツの特定をコンテンツ表示ＩＤと放送時間とで行うことも可能であり，この場合，コンテンツ配信装置１１４は，コンテンツとコンテンツ放送スケジュールのみを送信すれば良いことになる。ただし，放送時間の統一を図るため，正確な世界標準時等が必要となる。
【００９９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１００】
例えば，上述の実施形態では，コンテンツ表示装置として，街頭や店舗内に配置された電子ポスターを挙げているが，ユーザが個人的に利用するパーソナルコンピュータ，ＰＤＡ，携帯電話などの広告画面にも応用可能である。
【０１０１】
また，上記コンテンツ表示装置は，２次元バーコードの細かいドットを表示することが可能な装置を想定しているが，画面自体が小さく，２次元バーコードを表示することが困難な場合，図１３に示すような識別データ表示装置６１０をさらに備えることもできる。上記識別データ表示装置６１０は，コンテンツ表示装置１１６とは別途に設けられ，２次元バーコードを正確に表示できる。また，夜間であっても読み取れるようにバックライト等も有している。
【産業上の利用可能性】
【０１０２】
本発明は，コンテンツ配信システム，コンテンツ配信装置，コンテンツ表示装置，コンテンツ配信方法，およびそのコンピュータプログラムに適用可能である。
【図面の簡単な説明】
【０１０３】
【図１】第１実施形態におけるコンテンツ配信システムの概略を示したブロック図である。
【図２】ユーザ端末の構成を示すブロック図である。
【図３】コンテンツ配信装置の構成を示すブロック図である。
【図４】２次元バーコードの例を示した説明図である。
【図５】コンテンツ表示装置の構成を示すブロック図である。
【図６】コンテンツ配信システムにおけるコンテンツの特定に関する説明図である。
【図７】通常のコンテンツの配信を表したフローチャート図である。
【図８】第６の実施形態によるバリエーションのコンテンツの配信を表したフローチャート図である。
【図９】ユーザ端末を利用して，コンテンツ識別データを読み取るところを表した説明図である。
【図１０】ユーザ端末を利用したコンテンツ選択工程を説明した説明図である。
【図１１】コンテンツ提供工程によりコンテンツの放送を確認する様子を示した説明図である。
【図１２】コンテンツ表示装置の構成を示すブロック図である。
【図１３】識別子表示装置を説明する説明図である。
【符号の説明】
【０１０４】
１１０  通信網
１１２  ユーザ端末
１１４  コンテンツ配信装置
１１６  コンテンツ表示装置
１３２  識別データ読み取り手段
１３４  識別データ送信手段
１５２  コンテンツグループデータベース
１５４  識別データ受信手段
１５６  表示確認手段
１５８  ユーザ認証手段
１６０  コンテンツ検索手段
１６２  コンテンツ選択手段
１６４，５１０  ２次元バーコード変換手段
１６６  識別データ付与手段
１６８  スケジュール生成手段
１７０  スケジュール提供手段
１７２  コンテンツ送信手段
１９２  コンテンツデータベース
１９４  コンテンツ表示手段
２１０，２３０，２５２  コンテンツ識別データ
Ｓ３０２  ２次元バーコード変換工程
Ｓ３０４  識別データ付与工程
Ｓ３０６  スケジュール生成工程
Ｓ３０８  コンテンツ送信工程
Ｓ３１０  コンテンツ表示工程
Ｓ３５０  識別データ読み取り工程
Ｓ３５６  識別データ送信工程
Ｓ３５８  表示確認工程
Ｓ３６０  ユーザ認証工程
Ｓ３６８  コンテンツ検索工程
Ｓ３７０  コンテンツ選択工程
Ｓ３８０  スケジュール提供工程
【図１】
2005176206.tif 000003
【図２】
2005176206.tif 000004
【図３】
2005176206.tif 000005
【図４】
2005176206.tif 000006
【図５】
2005176206.tif 000007
【図６】
2005176206.tif 000008
【図７】
2005176206.tif 000009
【図８】
2005176206.tif 000010
【図９】
2005176206.tif 000011
【図１０】
2005176206.tif 000012
【図１１】
2005176206.tif 000013
【図１２】
2005176206.tif 000014
【図１３】
2005176206.tif 000015